【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
人間の脊柱を修正し又は真っ直ぐにするための調整式ロッド組立体であって、この調整式ロッド組立体が、
患者の胸郭、骨盤、又は脊柱に取り付けられるように構成された少なくとも１つの骨結合要素と、
第１の細長い部材であって、骨結合要素の１つに結合されるように構成されてなる第１のロッド部分を備え、第１の細長い部材は、屈曲され且つ曲率半径を形成する第１の延長部分をさらに具備し、第１の延長部分はさらに、第１の細長い部材の外面に複数のボア孔を具備している、上記第１の細長い部材と、
第２の細長い部材であって、骨結合要素の１つに結合されるように構成されてなる第２のロッド部分と、第１の延長部分に対して摺動式に可動である第２の延長部分と、を具備し、第２の延長部分は屈曲され且つ第１の延長部分の曲率半径と同一である曲率半径を形成し、第２の延長部分はさらに第２の細長い部材の外面に複数の貫通孔を具備し、第１の細長い部材及び第２の細長い部材は第１のロッド部分から第２のロッド部分まで延びる長さを定め、この長さは調整可能である、上記第２の細長い部材と、
係止要素であって、複数のボア孔及び複数の貫通孔のそれぞれの少なくとも１つに挿入されるように構成されたピンを具備し、それにより、第１及び第２の細長い部材を一緒に結合し、上記長さを固定する、上記係止要素と、を有し、
上記骨結合要素は、第１のロッド部分及び第２のロッド部分のうち少なくとも１つを中心として回転式に調整可能であることを特徴とする調整式ロッド組立体。
【請求項２】
上記第１及び第２の細長い部材は、屈曲していることを特徴とする請求項１に記載の調整式ロッド組立体。
【請求項３】
上記第１及び第２の延長部分の曲率半径は、約２００mmから約５２０mmの間であることを特徴とする請求項１に記載の調整式ロッド組立体。
【請求項４】
上記少なくとも１つの骨結合要素は、ラミナーフックであることを特徴とする請求項１に記載の調整式ロッド組立体。
【請求項５】
上記少なくとも１つの骨結合要素は、クランプ組立体を具備していることを特徴とする請求項１に記載の調整式ロッド組立体。
【請求項６】
上記クランプ組立体は、肋骨フックと、肋骨篭に取り付けられるように構成された肋骨フックキャップとを具備していることを特徴とする請求項５に記載の調整式ロッド組立体。
【請求項７】
上記第１のロッド部分は、実質的に円筒形の形状である少なくとも一部分を有し、上記少なくとも１つの骨結合要素は、実質的に円筒形の形状であるロッド部分を受け入れる開口部を有し、第１のロッド部分に対して骨結合要素の角度の調整を許容することを特徴とする請求項１に記載の調整式ロッド組立体。
【請求項８】
上記調整式ロッド組立体は、さらに、サイズ及び形状の異なる複数の第１の細長い部材と、サイズ及び形状の異なる複数の第２の細長い部材とを備えていることを特徴とする請求項１に記載の調整式ロッド組立体。
【請求項９】
上記調整式ロッド組立体は、さらに、複数の骨結合要素を備え、患者の肋骨に取り付けるように構成された少なくとも１つのクランプ組立体と、患者の脊柱に取り付けるように構成された少なくとも１つのフックと、患者の骨盤に取り付けるように構成された少なくとも１つのフックとを具備していることを特徴とする請求項８に記載の調整式ロッド組立体。
【請求項１０】
上記調整式ロッド組立体は、さらに、少なくとも１本の横断バーを備えていることを特徴とする請求項８に記載の調整式ロッド組立体。
【請求項１１】
上記第２の延長部分は、第１の延長部分の少なくとも一部分を受け入れるように構成された通路を有するスリーブとして形成されていることを特徴とする請求項１に記載の調整式ロッド組立体。
【請求項１２】
上記第１のロッド部分は真っ直ぐであることを特徴とする請求項１に記載の調整式ロッド組立体。
【請求項１３】
人間の脊柱を修正し又は真っ直ぐにするための調整式ロッド組立体を移植する方法であって、この方法が、
患者の第１の位置へ、第１の開口部を通して、第１の骨結合要素を挿入する段階と、
第１の骨結合要素を、第１の位置にて、骨に結合する段階と、
患者の第２の位置へ、第２の開口部を通して、第２の骨結合要素を挿入する段階と、
第２の骨結合要素を、第２の位置にて、骨に結合する段階と、
第１の開口部に通して第１の細長い部材を挿入する段階と、
第１の細長い部材を、第１の骨結合要素に結合する段階と、
第２の開口部に通して第２の細長い部材を挿入する段階と、
第２の細長い部材を、第２の骨結合要素に結合する段階と、
細長い部材を一緒に結合する段階と、を有することを特徴とする方法。
【請求項１４】
さらに、第３の位置に第３の開口部を形成する段階と、第３の切開を通してカプラを挿入して細長い部材と一緒に結合する段階と、を有することを特徴とする請求項１３に記載の方法。
【請求項１５】
上記第１の細長い部材が第１のロッド部分を有し、さらに、第１のロッド部分に第１の骨結合要素を結合する段階と、第１のロッド部分に対して第１の骨結合要素の角度を調整する段階と、を有することを特徴とする請求項１３に記載の方法。
【請求項１６】
さらに、第１のロッド部分に対して第１の骨結合要素の角度向きを固定する段階を有することを特徴とする請求項１５に記載の方法。
【請求項１７】
上記第１の細長い部材の曲線形状は、前彎であることを特徴とする請求項１に記載の調整式ロッド組立体。
【請求項１８】
上記第１の細長い部材の少なくとも一部が、直線状であるか、又は前彎の曲線形状を有していることを特徴とする請求項１に記載の調整式ロッド組立体。
【請求項１９】
上記第２の細長い部材の曲線形状は、前彎であることを特徴とする請求項１に記載の調整式ロッド組立体。
【請求項２０】
上記第１の延長部材は、雄型拡張部分を含み、且つ上記第２の延長部材は、雄型拡張部分を摺動可能に受け入れるように構成されている通路を有する雌型拡張部分を含むことを特徴とする請求項１に記載の調整式ロッド組立体。
【請求項２１】
上記雄型拡張部分は、Ｔ字形バーの形状を有し、上記雄型拡張部分の通路は、Ｃ字形の形状であり、Ｔ字形バーの形状に形成された上記雄型拡張部分を摺動可能に受け入れて第１の細長い部材及び第２の細長い部材の長さを調整するように構成されていることを特徴とする請求項２０に記載の調整式ロッド組立体。
【請求項２２】
上記少なくとも１つの骨結合要素は、Ｓ字形フックコネクタを備えることを特徴とする請求項１に記載の調整式ロッド組立体。
【請求項２３】
上記調整式ロッド組立体は、さらに、第１のロッド部分を受け入れるように構成されている開口部を有する横断バーであって、この横断バーが第１のロッド部分に関して横断バーを固定するように第１のロッド部分に嵌着されることができる、上記横断バーと、
前記横断バーに取付けられ、且つ前記横断バーを中心として回転的に調整可能な追加の骨結合要素とを含むことを特徴とする請求項１に記載の調整式ロッド組立体。
【請求項２４】
上記調整式ロッド組立体は、さらに、第２のロッド部分を受け入れるように構成されている開口部を有する横断バーであって、この横断バーが第２のロッド部分に関して横断バーを固定するように第２のロッド部分に嵌着されることができる、上記横断バーと、
前記横断バーに取付けられ、且つ前記横断バーを中心として回転的に調整可能な追加の骨結合要素とを含むことを特徴とする請求項１に記載の調整式ロッド組立体。
【請求項２５】
人間の脊柱を修正し又は真っ直ぐにするための調整式ロッド組立体であって、この調整式ロッド組立体が、
患者の胸郭、骨盤、又は脊柱に取り付けられるように構成された少なくとも１つの骨結合要素であって、少なくとも１つの骨結合要素は開口部を有する、上記少なくとも１つの骨結合要素と、
第１の軸線に沿って細長い第１の細長い部材であって、第１の細長い部材は第１の延長部分を備え、第１の細長い部材は、さらに少なくとも１つの骨結合要素に結合されるように構成されてなる第１のロッド部分を備え、第１のロッド部分は回転可能な部分を有し、第１の延長部分はさらに、第１の細長い部材の外面に少なくとも部分的に延びる複数のボア孔を備えている、上記第１の細長い部材と、
第２の細長い部材であって、少なくとも１つの骨結合要素に結合されるように構成される第２のロッド部分と、第１の延長部分に対して摺動式に可動である第２の延長部分と、を具備し、第２の延長部分はさらに第２の細長い部材の外面に少なくとも部分的に延びる複数の貫通孔を具備し、第１の細長い部材及び第２の細長い部材は第１のロッド部分から第２のロッド部分まで延びる長さを定め、この長さは第１の延長部分を第２の延長部分に対して摺動させることにより調整可能である、上記第２の細長い部材と、
複数のボア孔及び複数の貫通孔のそれぞれの少なくとも１つに挿入されるように構成された係止要素であって、それにより、第１及び第２の細長い部材を一緒に結合し、上記長さを固定する、上記係止要素と、を有し、
第１の細長い部材が少なくとも１つの骨結合要素に結合されるとき、第１のロッド部分の回転可能部分が少なくとも１つの骨結合要素の開口部内に受け入れられ、少なくとも１つの骨結合要素は、第１の軸線を中心として第１のロッド部分に対して角度を調整可能であることを特徴とする調整式ロッド組立体。
【請求項２６】
少なくとも１つの骨結合要素はラミナーフックであることを特徴とする請求項２５に記載の調整式ロッド組立体。
【請求項２７】
少なくとも１つの骨結合要素はクランプ組立体を備えることを特徴とする請求項２５に記載の調整式ロッド組立体。
【請求項２８】
上記クランプ組立体は、肋骨フックと、肋骨篭に取り付けられるように構成された肋骨フックキャップとを具備していることを特徴とする請求項２７に記載の調整式ロッド組立体。
【請求項２９】
上記調整式ロッド組立体は、サイズ及び形状の異なる複数の第１の細長い部材と、サイズ及び形状の異なる複数の第２の細長い部材とをさらに備えていることを特徴とする請求項２５に記載の調整式ロッド組立体。
【請求項３０】
上記調整式ロッド組立体は、さらに、複数の骨結合要素を備え、患者の肋骨に取り付けるように構成された少なくとも１つのクランプ組立体と、患者の脊柱に取り付けるように構成された少なくとも１つのフックと、患者の骨盤に取り付けるように構成された少なくとも１つのフックとを具備していることを特徴とする請求項２９に記載の調整式ロッド組立体。
【請求項３１】
上記調整式ロッド組立体は、さらに、少なくとも１本の横断バーを備えていることを特徴とする請求項２９に記載の調整式ロッド組立体。
【請求項３２】
上記第２の延長部分は、第１の延長部分の少なくとも一部分を受け入れるように構成された通路を有するスリーブとして形成されていることを特徴とする請求項２５に記載の調整式ロッド組立体。
【請求項３３】
上記第１のロッド部分は真っ直ぐであることを特徴とする請求項２５に記載の調整式ロッド組立体。
【請求項３４】
上記第１の細長い部材及び上記第２の細長い部材が、比較的真っ直ぐであることを特徴とする請求項２５に記載の調整式ロッド組立体。
【請求項３５】
上記第１の延長部分及び上記第２の延長部分の各々が、第１の延長部分及び第２の延長部分の各々が、それぞれの曲率半径を形成するように屈曲され、第１の延長部分及び第２の延長部分の各々についての曲率半径が同一であることを特徴とする請求項２５に記載の調整式ロッド組立体。
【請求項３６】
上記第１及び第２の延長部分の曲率半径は、約２００mmから約５２０mmの間であることを特徴とする請求項３５に記載の調整式ロッド組立体。
【請求項３７】
上記第１の軸線は、真っ直ぐであることを特徴とする請求項２５に記載の調整式ロッド組立体。
【請求項３８】
上記第１の軸線は、前彎の曲線形状を有することを特徴とする請求項２５に記載の調整式ロッド組立体。
【請求項３９】
上記第１の延長部材は、雄型拡張部分を備え、且つ上記第２の延長部材は、雄型拡張部分を摺動可能に受け入れるように構成されている通路を有する雌型拡張部分を含むことを特徴とする請求項２５に記載の調整式ロッド組立体。
【請求項４０】
上記雄型拡張部分は、Ｔ字形バーの形状を有し、上記雄型拡張部分の通路は、Ｃ字形の形状であり、Ｔ字形バーの形状に形成された雄型拡張部分を摺動可能に受け入れて第１の細長い部材及び第２の細長い部材の長さを調整するように構成されていることを特徴とする請求項３９に記載の調整式ロッド組立体。
【請求項４１】
上記第１のロッド部分の回転可能部分は、ほぼ円筒形の形状であることを特徴とする請求項２５に記載の調整式ロッド組立体。
【請求項４２】
第２の細長い部材は、第２の軸線に沿って細長く延び、第２のロッド部分は第２の回転可能部分を有し、第２の細長い部材が少なくとも１つの骨結合要素に結合されるとき、第２のロッド部分の第２の回転可能部分が少なくとも１つの骨結合要素の開口部内に受け入れられ、少なくとも１つの骨結合要素は、第２の軸線を中心として第２のロッド部分に対して角度を調整可能であることを特徴とする請求項２５に記載の調整式ロッド組立体。
【請求項４３】
上記少なくとも１つの骨結合要素は、Ｓ字形フックコネクタを備えることを特徴とする請求項２５に記載の調整式ロッド組立体。
【請求項４４】
上記調整式ロッド組立体は、さらに、第１のロッド部分を受け入れるように構成されている開口部を有する横断バーであって、この横断バーが第１のロッド部分に関して横断バーを固定するように第１のロッド部分に嵌着されることができる、上記横断バーと、
前記横断バーに取付けられ、且つ前記横断バーを中心として回転的に調整可能な追加の骨結合要素とを含むことを特徴とする請求項２５に記載の調整式ロッド組立体。
【請求項４５】
上記調整式ロッド組立体は、さらに、第２のロッド部分を受け入れるように構成されている開口部を有する横断バーであって、この横断バーが第２のロッド部分に関して横断バーを固定するように第２のロッド部分に嵌着されることができる、上記横断バーと、
前記横断バーに取付けられ、且つ前記横断バーを中心として回転的に調整可能な追加の骨結合要素とを含むことを特徴とする請求項２５に記載の調整式ロッド組立体。